(57)【特許請求の範囲】
【請求項１】
肘掛け椅子、ソファ、椅子等のシート用の平面であって、シートの平面を形成する複数のベルト（１）の支持のための枠組みを含むタイプの平面において、当該平面は、当該ベルト（１）自身の張力を利用して当該ベルト（１）を当該支持枠組みに固定する手段が設けられており、当該手段は、当該枠組みに２つの横方向の部分（３）を含み、この部分（３）が突出した舌状部（５）を有し、当該舌状部（５）のまわりに嵌められるＵ字型の固定要素（６）が設けられ、当該ベルト（１）が、当該Ｕ字型の部分（６）の外側を通ってから、後ろ向きに折り曲げられて、当該舌状部（５）と当該Ｕ字型要素（６）の間に挿入され、当該ベルト（１）によって加えられる張力によって、当該Ｕ字型の要素（６）を押付け、当該ベルト（１）の端を当該舌状部（５）に対してブロックするものであることを特徴とするシート用平面。
【請求項２】
請求項１によるシート用平面であって、当該横方向の部分（３）は、少なくとも１組のチューブ形状の要素（２）の平らにされた端を受け入れるに適した曲り又は空隙（８）を有する如く形成され、シートの枠組みの部分を構成することを特徴とするシート用平面。
【請求項３】
請求項２によるシート用平面であって、当該ベルト（１）によって加えられる弾性的な力は、当該部分（３）を当該チューブ状要素（２）に対してブロックされておくために用いられることを特徴とするシート用平面。
【発明の詳細な説明】
【０００１】
本発明は肘掛け椅子、ソファ、椅子又は類似のもののシート用の平面を提供するもので、このタイプはシートの平面を形成する複数のベルトを支持する枠組を含み、このシートの中にはベルトを当該支持する枠組に束縛するためにベルトそのものの張力を利用することができる手段が設けられている。
【０００２】
より詳しく云えば、ベルトが固定されている枠組は２つの部分を含み、この部分は突出した舌状部を有し、且つＵ字型の当該舌状部の端のまわりに嵌められる固定要素と、当該Ｕ字型部分の外側を通り当該部分と枠組の突出した舌状部の間で折り返えされるベルトとを設けられており、ベルトによって加えられた張力はベルトの端そのものを舌状部に対してブロックするために当該Ｕ字型要素を押しつける。
【０００３】
このシステムによってシート用の平面を形成する片の数は相当程度減少され且つ平面は組立の観点からも又単純化される結果となる。
【０００４】
知られているように、肘掛け椅子、ソファ、椅子又は類似品に用いられるシートの平面は、端にフックを設けられた複数のベルトによって形成されていることが多く、これらのフックによって、一般にチューブ状要素の組によって形成された枠組にこれらを適用することができ、且つこれらのチューブ状要素は支持要素に固定され、この支持要素は又は適当に形造られたチューブ状要素によって形成されている。
【０００５】
このシステムは非常に面倒であって、夫々のベルトの端を挿入できる円い小穴を設けられた、１組のフックを夫々のベルトに設ける必要があり、次にこれを縫うか又はベルトの端をこの円い小穴に固定し且つ枠組のチューブ状要素の中にフックの挿入のために必要な穴を設けることが必要である。
【０００６】
このシステムは容易に理解されるように非常に面倒なシステムであって適当に単純化されなければならないものである。
【０００７】
今や本発明はこの状態に入り込み、シートの平面を形成する複数のベルトを支持するための枠組みを含むタイプの肘掛け椅子、ソファ、椅子又は類似のシート用の平面を提案し、この枠組みは突出した舌状部を有する１組の部分を含み、この舌状部のまわりにＵ字型をもつ固定要素が嵌められ、ベルトの端は当該舌状部と当該形造られた要素の間に挿入され、且つベルトは当該Ｕ字型のまわりに折りたたまれ、次に伸ばされるので、ベルトの張力そのものがこのＵ字形型要素を当該舌状部に対して押付けて、ベルトの端そのものを正しい位置にブロックする。
【０００８】
このようにしてシート用平面が得られ、この平面はより少い数の片から形成され、且つその結果製造組立がずっと簡単で速くなる。
【０００９】
これら及びその他の利点は次の詳細な説明においてより明らかとされるが、これらの説明は同封された図面に関してこれに制限するものでない実例として与えられたものである。
【００１０】
図５に関連して、この平面は複数のベルト１によって形成され、これらのベルトは枠組みに固定され、この枠組みは１組のベース支持体２を含み、このベース支持体２は端が平らにされて上に折り曲げられたチューブ状の要素等により形成され、且つ数字の３で示された１組のロッド又は横方向の支持体を含み、この支持体にベルト１の端が固定されている。
【００１１】
これらの詳細は図１から４により良く見ることができる。
特にロッド３は曲り８を示す形をもつ特別なセクションによって形成され、この曲り８にベース支持体２の端が挿入され且つこの特別なセクションは壁又は突き出た舌状部５を含み、この場合にはこの舌状部は下に突き出ている。
【００１２】
ベルト１の端はこれらのロッドに固定される。この目的のために数字６で示されたブロック要素が用いられるが、この要素はＵ字型の断面をもって形成され舌状部５のまわりに嵌められてベルト１の端を正しい位置にブロックする。この端は図４において数字７で示されている。
【００１３】
Ｕ字型要素６のアームの間の距離は実質的に舌状部５の厚さにベルト１の厚さの２倍を加えたものに等しい。
【００１４】
好ましくはとに角Ｕ字型要素のアームは相互に向って若干曲げられており、シートの平面の組立の間に舌状部５のまわりにベルトが折り曲げられた時に、ベルトの端をブロックするようなある程度の弾性的な力が働く。
【００１５】
ベルトは次に後に折り曲げられＵ字型の要素６の上を通って次にロッド３を廻り、次に詳細説明するように端において引張られる。この外にセクション３は曲り８を示す形を有し、ここにベース支持体２の平らにされた端が挿入され、この端はこの場合リベット９又は類似のものによってロッドにしっかりと固定される（図２）。
【００１６】
組立の手順は次の通りである。先ずベルトが正しい長さにカットされる。次に端が舌状部５のまわりに折り曲げられ、あとからＵ字型部分６を挿入するが、このアームは互いに向い合って弾性的に集る傾向があり、ベルトの端を舌状部に対してブロックしこれを正しい位置に保つ。
【００１７】
ベルトは次にＵ字型要素６のまわりに折り曲げられ且つ次にセクションのまわりに折り曲げられ、且つ反対側の端は同様にして枠組みを形成する第２のロッド又は横方向の支持体に束縛される。
【００１８】
この時点においてベース支持体２がその端をセクション３の曲り８の中に挿入して取付けられ、リベット又は類似のものによってしっかりと正しい位置に固定する。ベルトの長さはこのようにして計算されるので支持体２をセクション又はロッド３の間に挿入すると、これらはやや間隔をあけベルトをこのようにする。
【００１９】
ベルトはこのとき引張り力を働かせＵ字型要素６を舌状部５に対して力でブロックし、自動的にベルトの端そのものをしっかりとブロックする。
【００２０】
このようにしてベルトは支持体の枠組みにフック、孔等を用いる必要なしに固定される。
【００２１】
与えられた説明から本発明の平面は特別な構成のために公知のものよりずっと便利であることが明らかであろう。
【００２２】
第１は必要なベルトの数が少なく、従ってコストと組立時間の減少となり且つ次に組立が簡単で速くなる。勿論寸法と使用される材料は、使用上の要素に応じて変化し得るものである。
【図面の簡単な説明】
【図１】本願発明のシート用平面の部分的透視図である。
【図２】本願発明のシート用平面の別途の部分的透視図である。
【図３】本願発明による平面の下から見た図である。
【図４】本願発明による平面の立面断面の詳細図である。
【図５】本願発明による前面図である。
【符号の説明】
１  ベルト
２  ベース支持体
３  ロッド又は横方向支持体
５  舌状部
６  ブロック要素又はｕ字型要素
７  ベルトの端
８  曲り
９  リベット
【図１】
0003821246.tif 000002
【図２】
0003821246.tif 000003
【図３】
0003821246.tif 000004
【図４】
0003821246.tif 000005
【図５】
0003821246.tif 000006